(57)【要約】【課題】  パウダー供給用ノズルの内部にスクリューを配置したパウダー供給装置を用いて連続鋳造用鋳型内にパウダーを投入するにあたり、パウダー供給用ノズルにおけるパウダーの詰まりを未然に防止すると同時に、パウダーの詰りによるスクリューの磨耗、折損を防止する。【解決手段】  本発明のパウダー供給装置の運転方法は、パウダー供給装置１のパウダー供給用ノズル３の内部にスクリューを設け、該スクリューを電動機５によって回転させて前記パウダー供給用ノズルの先端から連続鋳造用鋳型内にパウダー１５を投入する、パウダー供給装置の運転方法において、前記パウダー供給用ノズルの内部におけるパウダーの詰まりを前記電動機のトルクの変化で検知し、パウダーの詰まりを検知したときは、前記スクリューの回転数を繰り返し増減させて前記スクリューの回転に細かい振動を加える。【選択図】            図１
2019093392.tif 000002
【特許請求の範囲】
【請求項１】
パウダー供給装置のパウダー供給用ノズルの内部にスクリューを設け、該スクリューを電動機によって回転させて前記パウダー供給用ノズルの先端から連続鋳造用鋳型内にパウダーを投入する、パウダー供給装置の運転方法において、
前記パウダー供給用ノズルの内部におけるパウダーの詰まりを前記電動機のトルクの変化で検知し、パウダーの詰まりを検知したときは、前記スクリューの回転数を繰り返し増減させて前記スクリューの回転に細かい振動を加えることを特徴とする、パウダー供給装置の運転方法。
【発明の詳細な説明】
【技術分野】
【０００１】
本発明は、パウダー供給用ノズルの内部に配置されたスクリューの回転によってパウダーを供給するパウダー供給装置の運転方法に関し、詳しくは、パウダー供給用ノズルにおけるパウダーの詰まりを未然に防止することのできる、パウダー供給装置の運転方法に関する。
【背景技術】
【０００２】
鋼の連続鋳造においては、一般に、連続鋳造用鋳型内の溶鋼湯面上にパウダー（「モールドパウダー」ともいう）を投入し、鋳型内溶鋼湯面を被覆することにより、溶鋼の酸化を防止して酸化物系非金属介在物の生成を防止すると同時に、連続鋳造用鋳型と凝固シェルとの間に溶融したパウダーを流入させ、連続鋳造用鋳型と凝固シェルとの潤滑を図っている。このような作用を担うパウダーは、通常、ＣａＯ、ＳｉＯ２、Ａｌ２Ｏ３を主成分とし、ＣａＯ／ＳｉＯ２（質量比）がおよそ０．５〜１．６の範囲であり、その他に、アルカリ金属、アルカリ土類金属及び他金属の酸化物、炭酸塩、フッ化物の１種以上と、更に、溶融速度調整材として炭素分とを含有したものが使用されている。
【０００３】
連続鋳造用鋳型内へのパウダーの投入は、かつては作業者による人力で行っていたが、投入タイミングの個人差をなくす、及び、高熱作業をなくすなどのために、パウダー供給装置による自動投入が広く行われている。パウダー供給装置も、各工場に最適な、種々の形式のものが開発されている。
【０００４】
例えば、特許文献１には、パウダー供給用ノズル下端を鋳型内溶鋼湯面より常時略一定の間隔に保持するとともに、パウダー供給用ノズルに加振装置を介して振動を与え、鋳型内溶鋼湯面に均一厚みのパウダーを投入するパウダー投入方法及び供給装置が提案されている。
【０００５】
特許文献２には、パウダー供給用ノズルからパウダーを連続的に供給するパウダー供給装置において、パウダー供給用ノズルに、パウダーの安息角よりも小さい傾斜角とした傾斜部を設けるとともに、該傾斜部の水平方向長さを、パウダーが傾斜部内で安静時に到達する水平方向長さを超える長さとし、傾斜部の上流側に接続するホッパーまたは傾斜部に加振装置を配置したパウダー供給装置が提案されている。特許文献２は、加振装置による振動により、パウダー供給用ノズルの先端から一定量のパウダーを投入するという技術である。
【０００６】
特許文献３には、パウダー供給用ノズルの内部にスクリュー（またはコイルスプリング）を設け、このスクリュー（またはコイルスプリング）を電動機によって回転させて、パウダー供給用ノズルに接続するホッパー内のパウダーを、パウダー供給用ノズルの先端から連続鋳造用鋳型内に投入するパウダー供給装置が提案されている。
【先行技術文献】
【特許文献】
【０００７】
【特許文献１】特開昭６３−１２３５５５号公報
【特許文献２】実開昭６３−１０６５５８号公報
【特許文献３】特開平８−５７６１４号公報
【発明の概要】
【発明が解決しようとする課題】
【０００８】
特許文献１〜３などによって連続鋳造用鋳型内へのパウダーの自動投入が可能になり、高熱作業の解消に寄与している。
【０００９】
しかしながら、パウダー供給装置のパウダー供給用ノズル内において、パウダーの詰まりが発生する。パウダーの詰まりが発生すると、パウダー供給装置に替わって人手で投入せざるを得ず、作業負荷の増大、鋳型内溶鋼湯面上のパウダー厚みの不均一による品質劣化などが発生する。特許文献３のように、パウダー供給用ノズルの内部にスクリューが配置されたパウダー供給装置では、詰まりの発生によってスクリューが折損したり、曲損したりする。
【００１０】
特許文献１〜３は、パウダー供給装置のパウダー供給用ノズル内におけるパウダーの詰まりは考慮しておらず、パウダーの詰まりが発生した場合の対処方法は何ら記載していない。
【００１１】
本発明は上記事情に鑑みてなされたもので、その目的とするところは、パウダー供給用ノズルの内部にスクリューを配置したパウダー供給装置を用いて連続鋳造用鋳型内にパウダーを投入するにあたり、パウダー供給用ノズルにおけるパウダーの詰まりを未然に防止すると同時に、パウダーの詰りによるスクリューの磨耗、折損を防止することのできる、パウダー供給装置の運転方法を提供することである。
【課題を解決するための手段】
【００１２】
上記課題を解決するための本発明の要旨は以下のとおりである。
［１］パウダー供給装置のパウダー供給用ノズルの内部にスクリューを設け、該スクリューを電動機によって回転させて前記パウダー供給用ノズルの先端から連続鋳造用鋳型内にパウダーを投入する、パウダー供給装置の運転方法において、
前記パウダー供給用ノズルの内部におけるパウダーの詰まりを前記電動機のトルクの変化で検知し、パウダーの詰まりを検知したときは、前記スクリューの回転数を繰り返し増減させて前記スクリューの回転に細かい振動を加えることを特徴とする、パウダー供給装置の運転方法。
【発明の効果】
【００１３】
本発明によれば、パウダー供給用ノズルの内部でのパウダーの詰まりを、パウダー供給用ノズル内のスクリューを回転させる電動機のトルクの変化で検知し、パウダーの詰まりを検知したときは、スクリューの回転数を繰り返し増減させてスクリューの回転に細かい振動を加えるので、パウダー供給用ノズルにおけるパウダーの詰まりを未然に防止することができると同時に、パウダーの詰りによるスクリューの磨耗、折損を防止することができる。
【図面の簡単な説明】
【００１４】
【図１】本発明を実施する際に用いたパウダー供給装置で連続鋳造用鋳型内にパウダーを投入している状態を示す概略図である。
【図２】図１に示すパウダー供給装置のパウダー供給用ノズルの構成を示す概略図である。
【図３】電動機の回転数を制御するブロック図の一例である。
【図４】本発明を実施したときのスクリューの回転数の経時変化を示す図である。
【図５】スクリューの回転数を変化させない、従来のスクリューの回転数の経時変化を示す図である。
【発明を実施するための形態】
【００１５】
以下、添付図面を参照して本発明を具体的に説明する。図１は、本発明を実施する際に用いたパウダー供給装置で連続鋳造用鋳型内にパウダーを投入している状態を示す概略図、図２は、図１に示すパウダー供給装置のパウダー供給用ノズルの構成を示す概略図である。
【００１６】
連続鋳造用鋳型１３で連続鋳造される溶鋼１４の湯面上にパウダー１５を投入するためのパウダー供給装置１は、本体８に積載されたホッパー２及びパウダー供給用ノズル３を備えている。本体８は、左右駆動機構９及び前後駆動機構１０を備えており、左右駆動機構９及び前後駆動機構１０により、連続鋳造用鋳型１３の近傍に設置された架台７の上の任意の位置に移動して、パウダー供給用ノズル３の先端から、連続鋳造用鋳型内の任意の位置にパウダー１５を投入できるように構成されている。
【００１７】
パウダー供給用ノズル３は、その内部に、スクリューフィン４ａ及びスクリューロッド４ｂからなるスクリュー４を有している。スクリュー４は、スクリューロッド４ｂの一方の端部と連結する電動機５によって、パウダー供給用ノズル３の内部で回転し、ホッパー２に収容されたパウダー１５を、回転するスクリューフィン４ａで搬送し、パウダー供給用ノズル３の先端から連続鋳造用鋳型内に投入するように構成されている。ホッパー２の下部にはロータリーフィーダー６が設置されており、ロータリーフィーダー６によって、ホッパー２からパウダー供給用ノズル３へのパウダー１５の供給流量が制御されている。ホッパー２へは、ホース接続配管１２及び本体ホース１１を介して、パウダー収容容器（図示せず）からパウダー１５が供給される。
【００１８】
従来は、パウダー１５の投入時期になると、ロータリーフィーダー６を作動させ、且つ、電動機５を作動させ、スクリュー４を一定の回転数で回転させ、ロータリーフィーダー６によって切り出されるパウダー１５をパウダー供給用ノズル３の先端から連続鋳造用鋳型内に投入していた。
【００１９】
その場合に、パウダー供給用ノズル３の内部でパウダー１５の詰まりが発生すると、電動機５の電力使用量を計測する電力計測器が過負荷を検知し、トルクリミッターが作動して、電動機５への電力供給が停止されていた。トルクリミッターが作動するまでは、スクリュー４には過負荷が掛っており、スクリュー４が変形してしまうこともあり、過負荷を繰り返すことによってスクリュー４は折損してしまうこともあった。また、トルクリミッター作動の閾値を緩和させた場合には、スクリュー４の折損は緩和できるものの、パウダー供給装置１の電源が頻繁に遮断されて、設備停止が多くなるという欠点があった。
【００２０】
本発明では、例えば、図３に示すような制御回路で電動機５の回転数を制御し、パウダー供給用ノズル３の内部でのパウダー１５の詰まりを防止する。図３は、電動機５の回転数を制御するブロック図の一例である。図３において、符号１６は、電動機５の回転数などを設定する条件設定部、１７は、電動機５の回転数を制御する回転数制御部、１８は、電動機５の実際の回転数を測定する回転数測定器（パルスジェネレーター）、１９は、電動機５のトルク、電力使用量などを計測する負荷計測器、２０は、負荷計測器１９からの入力信号に基づいて、パウダー１５の詰まりを検知し、パウダー１５の詰まりを検知したときには電動機５の回転数を繰り返し増減させて、スクリューロッド４ｂの回転に細かい振動を加える判定器である。
【００２１】
図３に示すブロック図において、パウダー投入時の電動機５の回転数、つまり、スクリュー４の回転数を条件設定部１６で設定する。回転数制御部１７は、条件設定部１６から回転数の設定値を受け、電動機５の回転数が設定された回転数になるように、電動機５を回転させる。回転数測定器１８は電動機５の実際の回転数を測定し、回転数制御部１７に測定した回転数をフィードバックする。回転数制御部１７は、条件設定部１６から入力された回転数設定値と、回転数測定器１８から入力された回転数実測値とに差が存在する場合は、この差がなくなるように、電動機５を回転させる。
【００２２】
パウダー供給用ノズル３の内部でのパウダー１５の詰まりが発生しはじめると、条件設定部１６から入力された回転数設定値と、回転数測定器１８から入力された回転数実測値との差が大きくなり、この差を無くするために、回転数制御部１７は、電動機５の回転数を高めるために、電動機５へ供給する電力を増大させる。
【００２３】
負荷計測器１９は、電動機５へ供給する電力の増大を計測し、且つ、計測した電力の増大から電動機５のトルクを測定する。判定器２０は、負荷計測器１９から入力される電動機５のトルクの測定値に基づいて、パウダー供給用ノズル３の内部でのパウダー１５の詰まりの有無を判定する。負荷計測器１９から入力されるトルクの測定値が、予め設定した閾値（第１の閾値）以上となったときに、パウダー１５の詰まりが発生したと判定する。
【００２４】
判定器２０は、パウダー供給用ノズル３の内部でパウダー１５の詰まりが発生したと判定したときには、電動機５の回転数が、条件設定部１６から入力された回転数設定値に対して繰り返し増減するように、具体的には、条件設定部１６から入力された回転数設定値を中央値として、短時間で周期的に繰り返し増減するように、回転数制御部１７に信号を発信する。
【００２５】
スクリュー４の回転に細かい振動を加えることで、パウダー供給用ノズル３の内部でのパウダー１５の詰まりが解消される。パウダー供給用ノズル３の内部でのパウダー１５の詰まりが解消した場合には、判定器２０は、電動機５の回転数が条件設定部１６から入力された回転数設定値になるように制御する。
【００２６】
図４に、このように制御したときのスクリュー４の回転数の経時変化を示す。図５は、比較のために示す図であり、スクリュー４の回転数を変化させない、従来のスクリュー４の回転数の経時変化を示す図である。
【００２７】
尚、スクリュー４の回転数を繰り返し増減させてもパウダー１５の詰まりが解消せず、電動機５のトルクが更に上昇して閾値（第２の閾値）を超えた場合には、スクリュー４の折損を防止するために、電動機５への電力供給を停止する。
【００２８】
以上説明したように、本発明によれば、パウダー供給用ノズル３の内部におけるパウダー１５の詰まりを、パウダー供給用ノズル内のスクリュー４を回転させる電動機５のトルクの変化で検知し、パウダー１５の詰まりを検知したときは、スクリュー４の回転数を繰り返し増減させてスクリュー４の回転に細かい振動を加えるので、パウダー供給用ノズル３におけるパウダー１５の詰まりを未然に防止することができると同時に、パウダー１５の詰りによるスクリュー４の磨耗、折損を防止することができる。
【００２９】
尚、上記説明は、パウダー供給用ノズル３の内部にスクリュー４が設置された場合を説明したが、スクリュー４の替わりにコイルスプリングが設置されたパウダー供給装置であっても、上記に沿って本発明を適用することができる。
【実施例】
【００３０】
図１に示すパウダー供給装置を用いて本発明を実施した。パウダー供給用ノズルの内部に設置されたスクリューの回転数を設定値の３５０ｒｐｍとして粉末のパウダーを連続鋳造用鋳型内に投入しているときに、電動機のトルクの変化から、パウダー供給用ノズルの内部において、パウダーの詰まりが発生したと判定されたときには、図４に示すパターンで、スクリューの回転数を変化させた。尚、スクリューの駆動は、定格１７５０Ｗ、極数４の誘導電動機で行い、印加電流の周波数はインバータで４０〜８０Ｈｚ可変とし、出力軸には減速比５の減速機を介してスクリュー軸に連結した。
【００３１】
具体的には、スクリューの回転数を、設定値の３５０ｒｐｍに対して約１分間で２４０ｒｐｍまで減速させ、その後、約２分間で、設定値の３５０ｒｐｍに対して４８０ｒｐｍまで増速し、更に、その後、約１分間で設定値の３５０ｒｐｍに減速するというパターンで繰り返して変更し、スクリューの回転に細かい振動を加えた。電動機のトルクが定常時に戻ったなら、スクリューの回転数を設定値の３５０ｒｐｍに戻した。
【００３２】
このようにしてパウダー供給装置を運転し、スクリューの折損回数、交換回数、パウダーの詰まりによる設備停止時間を調査し、本発明を適用する前と比較した。表１に調査結果を示す。
【００３３】
【表１】
2019093392.tif 000003
【００３４】
表１に示すように、本発明を適用することで、スクリューの折損は解消され、パウダーの詰まりによる設備停止時間も皆無となった。尚、本発明を適用した時期のスクリューの交換は、摩耗による定期交換である。
【００３５】
即ち、本発明に係るパウダー供給装置の運転方法は、パウダー供給用ノズルの内部におけるパウダーの詰まりを防止する上で、極めて効果的であることが確認できた。
【符号の説明】
【００３６】
１  パウダー供給装置
２  ホッパー
３  パウダー供給用ノズル
４  スクリュー
４ａ  スクリューフィン
４ｂ  スクリューロッド
５  電動機
６  ロータリーフィーダー
７  架台
８  本体
９  左右駆動機構
１０  前後駆動機構
１１  本体ホース
１２  ホース接続配管
１３  連続鋳造用鋳型
１４  溶鋼
１５  パウダー
１６  条件設定部
１７  回転数制御部
１８  回転数測定器
１９  負荷計測器
２０  判定器
【図１】
2019093392.tif 000004
【図２】
2019093392.tif 000005
【図３】
2019093392.tif 000006
【図４】
2019093392.tif 000007
【図５】
2019093392.tif 000008